(57)【要約】【課題】磁気ディスク装置において、フォームファクタを守りながら、磁気ヘッドに対するシールド機能を向上すること。【解決手段】磁気ディスク装置５０は、磁気ディスク４と、情報を記録／再生する磁気ヘッド５と、磁気ヘッド５を磁気ディスク４の半径方向に移動する磁気ディスク駆動機構７と、非磁性材料で構成されたベース２及びカバー１からなる筐体９と、磁性材料で構成された磁気シールド部材３とを備える。磁気ヘッド５の移動範囲に対応する筐体部分には切欠き部９ａを形成し、上壁部３ａ、側壁部３ｂ及び底壁部３ｃからなるコ字状に磁気シールド部材３が形成されている。磁気シールド部材３で磁気ヘッド５の移動範囲を覆うと共に、筐体９の上壁、側壁及び底壁の表面と実質的に同じ表面を形成するように磁気シールド部材３を切欠き部９ａに設置している。【選択図】図２
2006107570.tif 000002
【特許請求の範囲】
【請求項１】
回転円板型の磁気ディスクと、
前記磁気ディスクに情報を記録又は前記磁気ディスクから情報を再生する磁気ヘッドと、
前記磁気ヘッドを支持して前記磁気ディスクの半径方向に移動する磁気ディスク駆動機構と、
非磁性材料で構成されたベース及び非磁性材料で構成されたカバーからなる筐体と、
磁性材料で構成された磁気シールド部材とを備え、
前記筐体は、前記磁気ヘッドの移動範囲に対応する、上壁部分、側壁部分及び底壁部分に跨った切欠き部を有し、
前記磁気シールド部材は、上壁部、側壁部及び底壁部からなるコ字状に形成され、前記磁気ヘッドの移動範囲を覆うと共に前記筐体の上壁、側壁及び底壁の表面と実質的に同じ表面を形成するように前記切欠き部に設置した
ことを特徴とする磁気ディスク装置。
【請求項２】
請求項１に記載の磁気ディスク装置において、前記磁気シールド部材の上壁部、側壁部及び底壁部の各厚さを前記筐体の上壁部、側壁部及び底壁部の各厚さにほぼ等しくしたことを特徴とする磁気ディスク装置。
【請求項３】
請求項２に記載の磁気ディスク装置において、前記筐体の上壁部及び底壁部から前記切欠き部の内側に突出する係止段部を設け、前記磁気シールド部材の上壁部及び底壁部のそれぞれを前記筐体の上壁部及び底壁部の前記係止段部のそれぞれに重なるように当接して設置したことを特徴とする磁気ディスク装置。
【請求項４】
請求項１から３の何れかに記載の磁気ディスク装置において、前記筐体の切欠き部を形成する端面と前記磁気シールド部材の端面との間を気密保持するように接着剤で固定したことを特徴とする磁気ディスク装置。
【請求項５】
請求項１から３の何れかに記載の磁気ディスク装置において、前記筐体の上壁部、側壁部及び底壁部の各表面から前記磁気シールド部材の上壁部、側壁部及び底壁部の各表面に跨って気密保持用シールを貼着したことを特徴とする磁気ディスク装置。
【請求項６】
回転円板型の磁気ディスクと、
前記磁気ディスクに情報を記録又は前記磁気ディスクから情報を再生する磁気ヘッドと、
前記磁気ヘッドを支持して前記磁気ディスクの半径方向に移動する磁気ディスク駆動機構と、
非磁性材料で構成されたベース及び磁性材料で構成されたカバーからなる筐体と、
磁気ディスク装置を制御する回路基板とを備え、
前記回路基板は、珪素鋼板コアを有すると共に、前記ベースの下面側に設置し、
前記カバーは前記回路基板の珪素鋼板コアに磁気的に接続される舌状部を延長して設けた
ことを特徴とする磁気ディスク装置。
【請求項７】
請求項６に記載の磁気ディスク装置において、前記筐体の側壁の表面に前記舌状部が上下に通る凹部を形成したことを特徴とする磁気ディスク装置。
【請求項８】
請求項６に記載の磁気ディスク装置において、前記ベースと前記回路基板との間に可撓性を有する緩衝材を配置し、前記緩衝材と前記回路基板との間に前記緩衝材の弾性力を受けて前記回路基板に押し付けられるように前記舌状部を配置したことを特徴とする磁気ディスク装置。
【請求項９】
回転円板型の磁気ディスクと、
前記磁気ディスクを回転させるスピンドルモータと、
前記磁気ディスクに情報を記録又は前記磁気ディスクから情報を再生する磁気ヘッドと、
前記磁気ヘッドを支持して前記磁気ディスクの半径方向に移動する磁気ディスク駆動機構と、
磁性材料からなるベースを有する筐体と、
珪素鋼板コアを有する珪素鋼板コア基板とを備え、
前記珪素鋼板コア基板は前記ベース内に前記磁気ヘッドの移動範囲を覆うように設置し、
前記珪素鋼板コアは前記ベースに磁気的に接続した
ことを特徴とする磁気ディスク装置。
【請求項１０】
請求項９に記載の磁気ディスク装置において、前記珪素鋼板コアは前記スピンドルモータのステータコアと共用したことを特徴とする磁気ディスク装置。
【発明の詳細な説明】
【技術分野】
【０００１】
本発明は、磁気ディスク装置に係り、特に磁気ディスクに垂直磁気記録方式で情報を記録する磁気ディスク装置に好適なものである。
【背景技術】
【０００２】
近年、磁気ディスク装置においては、高記録密度化を図るために、従来の長手磁気記録方式の改善と共に、垂直磁気記録方式の開発が進められている。
【０００３】
垂直磁気記録方式を適用した磁気ディスク装置は、一般的には、単磁極ヘッドと、２層構造の磁気ディスク媒体とを使用するものである。このような磁気ディスク装置では、装置の外部から進入する外乱磁界を単磁極ヘッドが集束して、当該単磁極ヘッドの記録磁極の真下のディスク媒体上のデータを破壊してしまうという問題が生じる可能性がある。このため、垂直磁気記録方式を適用した磁気ディスク装置では、長手磁気記録方式を利用した従来の装置に比較して、外部磁界の装置内への進入を妨げる磁気シールド機能が重要となる。
【０００４】
そこで、従来の磁気ディスク装置として、特開２００３−７７２６６号公報（特許文献１）に示されたものが案出されている。この特許文献１の磁気ディスク装置は、垂直磁気記録方式で情報を記録する回転円板型の磁気ディスクと、磁気ディスクに情報を記録又は磁気ディスクから情報を再生する磁気ヘッドと、磁気ヘッドを磁気ディスクの半径方向に移動可能に支持するディスクドライブ機構と、ベース及びカバーからなる筐体と、磁気ヘッドを磁気シールドするために磁性材料で構成された磁気シールド部材とを備えて構成されている。
【０００５】
そして、特許文献１の図１〜図１６に係わる実施形態では、磁気ディスク、磁気ヘッド及びディスクドライブ機構を筐体の内部に収納し、磁気ヘッドの移動範囲の上方及び下方を含む筐体外部の上面、下面及び側面にわたって磁気シールド部材を設けている（従来技術１）。
【０００６】
また、特許文献１の図１７に係わる実施形態では、磁気ディスク、磁気ヘッド、ディスクドライブ機構及び磁気シールド部材を筐体の内部に収納し、磁気ヘッドに対向するベース部分及びカバー部分にのみ磁気シールド部材を設けている（従来技術２）。
【０００７】
さらに、特許文献１の図１８に係わる実施形態では、磁気ディスク、磁気ヘッド及びディスクドライブ機構を筐体の内部に収納し、前記筐体の一部を切欠いてその部分に磁気シールド部材を設置し、その磁気シールド部材の先端側を磁気ディスクの両側に延伸し、その端面を磁気ヘッドの端面に対向するように位置させている（従来技術３）。
【０００８】
さらに、特許文献１の図１９に係わる実施形態では、磁気ディスク、磁気ヘッド及びディスクドライブ機構を筐体の内部に収納し、前記筐体の外面に凹部を形成し、その凹部に磁気シールド部材を設置し、その磁気シールド部材の先端側を磁気ディスクの両側に延伸し、その端部を磁気ヘッドの端部に対応するよう位置させている（従来技術４）。
【０００９】
【特許文献１】特開２００３−７７２６６号公報
【発明の開示】
【発明が解決しようとする課題】
【００１０】
しかし、従来技術１では、磁気ヘッドから遠く離れた筐体外部に磁気シールド部材を設けているため、シールド機能を十分に発揮できないと共に、磁気シールド部材の分だけ外形寸法が大きくなってしまうという問題があった。この種の磁気ディスク装置では、２．５型（モバイル型）及び３．５型などのように大きさが制約されており、磁気シールド機能を持たせた場合にも、所定の大きさ（フォームファクタ）内に収まることが重要である。特に、ノート型パソコンや携帯情報端末に搭載されるモバイル用途向け磁気ディスク装置では、薄型化に対する要求あるいは制限が非常に厳しく、現行の磁気ディスク装置に対して厚さが増加する構造は採用が困難であり、垂直記録方式の磁気ディスク装置を実現する上で大きな障害となる。
【００１１】
また、従来技術２では、磁気ヘッドに対向するベース部分及びカバー部分にのみ磁気シールド部材を設けているため、シールド機能を十分に発揮できないという問題があった。
【００１２】
さらには、従来技術３または４では、磁気ヘッドの側方に磁気シールド部材を設けているため、シールド機能を十分に発揮できないという問題があった。
【００１３】
本発明の目的は、フォームファクタを守りながら、磁気ヘッドに対するシールド機能を向上できる磁気ディスク装置を提供することにある。
【課題を解決するための手段】
【００１４】
前記目的を達成するための本発明の第１の態様は、回転円板型の磁気ディスクと、前記磁気ディスクに情報を記録又は前記磁気ディスクから情報を再生する磁気ヘッドと、前記磁気ヘッドを支持して前記磁気ディスクの半径方向に移動する磁気ディスク駆動機構と、非磁性材料で構成されたベース及び非磁性材料で構成されたカバーからなる筐体と、磁性材料で構成された磁気シールド部材とを備え、前記筐体は、前記磁気ヘッドの移動範囲に対応する、上壁部分、側壁部分及び底壁部分に跨った切欠き部を有し、前記磁気シールド部材は、上壁部、側壁部及び底壁部からなるコ字状に形成され、前記磁気ヘッドの移動範囲を覆うと共に前記筐体の上壁、側壁及び底壁の表面と実質的に同じ表面を形成するように前記切欠き部に設置した構成にしたことにある。
【００１５】
係る本発明の第１の態様のより好ましい具体的な構成例は次の通りである。
（１）前記磁気シールド部材の上壁部、側壁部及び底壁部の各厚さを前記筐体の上壁部、側壁部及び底壁部の各厚さにほぼ等しくしたこと。
（２）前記筐体の上壁部及び底壁部から前記切欠き部の内側に突出する係止段部を設け、前記磁気シールド部材の上壁部及び底壁部のそれぞれを前記筐体の上壁部及び底壁部の前記係止段部のそれぞれに重なるように当接して設置したこと。
（３）前記筐体の切欠き部を形成する端面と前記磁気シールド部材の端面との間を気密保持するように接着剤で固定したこと。
（４）前記筐体の上壁部、側壁部及び底壁部の各表面から前記磁気シールド部材の上壁部、側壁部及び底壁部の各表面に跨って気密保持用シールを貼着したこと。
【００１６】
前記目的を達成するための本発明の第２の態様は、回転円板型の磁気ディスクと、前記磁気ディスクに情報を記録又は前記磁気ディスクから情報を再生する磁気ヘッドと、前記磁気ヘッドを支持して前記磁気ディスクの半径方向に移動する磁気ディスク駆動機構と、非磁性材料で構成されたベース及び磁性材料で構成されたカバーからなる筐体と、磁気ディスク装置を制御する回路基板とを備え、前記回路基板は、珪素鋼板コアを有すると共に、前記ベースの下面側に設置し、前記カバーは前記回路基板の珪素鋼板コアに磁気的に接続される舌状部を延長して設けた構成にしたことにある。
【００１７】
係る本発明の第２の態様のより好ましい具体的な構成例は次の通りである。
（１）前記筐体の側壁の表面に前記舌状部が上下に通る凹部を形成したこと。
（２）前記ベースと前記回路基板との間に可撓性を有する緩衝材を配置し、前記緩衝材と前記回路基板との間に前記緩衝材の弾性力を受けて前記回路基板に押し付けられるように前記舌状部を配置したこと。
【００１８】
前記目的を達成するための本発明の第３の態様は、回転円板型の磁気ディスクと、前記磁気ディスクを回転させるスピンドルモータと、前記磁気ディスクに情報を記録又は前記磁気ディスクから情報を再生する磁気ヘッドと、前記磁気ヘッドを支持して前記磁気ディスクの半径方向に移動する磁気ディスク駆動機構と、磁性材料からなるベースを有する筐体と、珪素鋼板コアを有する珪素鋼板コア基板とを備え、前記珪素鋼板コア基板は前記ベース内に前記磁気ヘッドの移動範囲を覆うように設置し、前記珪素鋼板コアは前記ベースに磁気的に接続した構成にしたことにある。
【００１９】
係る本発明の第３の態様のより好ましい具体的な構成例は次の通りである。
（１）前記珪素鋼板コアは前記スピンドルモータのステータコアと共用したこと。
【発明の効果】
【００２０】
本発明によれば、フォームファクタを守りながら、磁気ヘッドに対するシールド機能を向上できる磁気ディスク装置を提供することができる。
【発明を実施するための最良の形態】
【００２１】
以下、本発明の複数の実施例について図を用いて説明する。各実施例の図における同一符号は同一物または相当物を示す。
（第１実施例）
まず、本発明の第１実施例の磁気ディスク装置を図１及び図２を用いて説明する。図１は本発明の第１実施例の磁気ディスク装置を示す斜視図、図２は図１のＡ−Ａ断面図である。
【００２２】
磁気ディスク装置５０は、回転円板型の磁気ディスク４と、磁気ディスク４に情報を記録又は前記磁気ディスクから情報を再生する磁気ヘッド５と、磁気ヘッド５を支持して磁気ディスク４の半径方向に移動する磁気ディスク駆動機構７と、非磁性材料で構成されたベース２及び非磁性材料で構成されたカバー１からなる筐体９と、磁性材料で構成された磁気シールド部材３と、磁気ディスク装置５０を制御する回路基板６とを備えて構成されている。
【００２３】
磁気ディスク４は、垂直磁気記録方式で情報を環状のトラックに記録する回転円板型の磁気ディスクで構成され、スピンドル機構（図示せず）の回転部に固定されて高速で回転される。この環状のトラックは磁気ディスク４の内周から外周にわたって多数設けられ、磁気ヘッド５が各トラックに移動され位置決めされて記録または再生動作が行なわれる。磁気ディスク４は１枚で構成され、磁気ディスク４の表面側（カバー側）と裏面側（ベース側）とに磁気ヘッド５が各１個づつ搭載されている。
【００２４】
磁気ディスク駆動機構７は、サスペンション、アーム、ボイスコイルモータなどから構成されている。回路基板６は、ベース２とほぼ同じ幅を有し、ベース２の底面に取り付けられている。
【００２５】
筐体９は、高さ寸法が小さい薄型に構成され、ノート型パソコンや携帯情報端末に容易に内蔵できるようになっている。この筐体９は、磁気ヘッド５の移動範囲に対応する、上壁部分、側壁部分及び底壁部分を切欠いた切欠き部９ａを有している。換言すれば、この切欠き部９ａはカバー１及びベース２を切欠いて形成されている。
【００２６】
磁気シールド部材３は、上壁部３ａ、側壁部３ｂ及び底壁部３ｃからなるコ字状に形成されている。磁気シールド部材３を構成する磁性材料としては、鉄、マルテンサイト系のステンレス材料、珪素鋼板、パーマロイなどが適している。磁気シールド部材３は、磁気ヘッド５の移動範囲を覆うように設置されている。換言すれば、コ字状の磁気シールド部材３は、磁気ディスク４及び磁気ヘッド５を挟み込むように設置され、上壁部３ａが磁気ディスク４上側の磁気ヘッド５の上方に位置し且つ磁気ヘッド５の移動範囲にわたって延びており、底壁部３ｃが磁気ディスク４下側の磁気ヘッド５の下方に位置し且つ磁気ヘッド５の移動範囲にわたって延びている。
【００２７】
そして、磁気シールド部材３は、筐体９の上壁、側壁及び底壁の表面と実質的に同じ表面を形成するように切欠き部９ａに設置されている。本実施例では、筐体９の上壁、側壁及び底壁の表面が平面で形成されており、これらの表面と同一の平面になるように磁気シールド部材３の上壁部３ａ、側壁部３ｂ及び底壁部３ｃの表面が形成されている。また、磁気シールド部材３の上壁部３ａ、側壁部３ｂ及び底壁部３ｃの各厚さは、筐体９の上壁部、側壁部及び底壁部の各厚さにほぼ等しく形成されている。これによって、磁気シールド部材３を用いても従来における筐体と同じ機能を有する。
【００２８】
筐体９と磁気シールド部材３とは接着剤を介して固定されている。具体的には、筐体９の切欠き部９ａを形成する端面と磁気シールド部材３の端面との間が気密保持されるように接着剤で固定されている。これによって、従来における筐体と同様な筐体内の気密性能及び筐体強度を得ることができる。
【００２９】
磁気シールド部材３による磁気シールド効果のメカニズムについて説明する。ディスク面に垂直な外部磁界が、例えば、ディスク面の上方から下方に流れる磁界の場合には、磁束は上壁部３ａに集められ、側壁部３ｂを経て、底壁部３ｃに流れ、底壁部３ｃから外部に戻される。このように、外部磁界の磁束は、磁気シールド部材３により挟み込まれた磁気ヘッド５を回避するように磁束が流れるので、磁界が垂直記録用磁気ヘッドに集められて、ディスク面の情報を消去する、或は、ディスク面に誤データを書き込む等の誤動作を防止できる。また、ディスク面に垂直な外部磁界がディスク面の下方から上方に流れる磁界の場合には、磁束が磁気シールド部材３に逆に流れることにより、同様な磁気シールド効果を奏する。
【００３０】
本実施例によれば、磁気ヘッド５の移動範囲に対応する、上壁部分、側壁部分及び底壁部分に跨った切欠き部９ａを筐体９に形成し、上壁部３ａ、側壁部３ｂ及び底壁部３ｃからなるコ字状に磁気シールド部材３を形成し、磁気シールド部材３で磁気ヘッド５の移動範囲を覆うと共に、筐体９の上壁、側壁及び底壁の表面と実質的に同じ表面を形成するように切欠き部９ａに磁気シールド部材３を設置したので、フォームファクタを守りながら、磁気ヘッドに対するシールド機能を向上できる磁気ディスク装置を実現できる。
（第２実施例）
次に、本発明の第２実施例について図３及び図４を用いて説明する。図３は本発明の第２実施例の磁気ディスク装置の斜視図、図４は図３のＢ−Ｂ断面図である。この第２実施例は、次に述べる点で第１実施例と相違するものであり、その他の点については第１実施例と基本的には同一である。
【００３１】
この第２実施例では、磁気シールド部材３の上壁部３ａを筐体９の上壁部（カバー１）の係止段部１ａに当接し、磁気シールド部材３の底壁部３ｃを筐体９の底壁部（ベース２の底壁部）の係止段部２ａに重なるように当接して、磁気シールド部材３を切欠き部９ａに設置している。これらの係止段部１ａ、２ａにより、磁気シールド部材３を容易に位置決めして切欠き部９ａ内に埋設することができる。また、磁気シールド部材３を係止段部１ａ、２ａを介して筐体９に保持することができるので、外部衝撃に強いものとすることができる。
【００３２】
なお、これらの係止段部１ａ、２ａは、図２の網掛け部に示すように、切欠き部９ａの対向面にそれぞれ設けられ、図２の斜線で示す磁気ヘッドの移動領域１４（斜線部）を外れた場所に設けられる。
【００３３】
また、第２実施例では、筐体９の上壁部、側壁部及び底壁部の各表面から磁気シールド部材３の上壁部３ａ、側壁部３ｂ及び底壁部３ｃの各表面に跨って気密保持用シール１５を貼着している。これによって、磁気ディスク装置内部は外部との気密が保たれる。特に、第２実施例では、係止段部１ａ、２ａを設けて磁気シールド部材３を保持するようにしているので、気密保持用シール１５にあまり大きな強度を必要としない、という利点を有する。係止段部１ａ、２ａと磁気シールド部材３との重ね合わせ面を接着剤で固定すれば、気密保持機能を確保するだけの薄いシール１５を用いることができる。
（第３実施例）
次に、本発明の第３実施例について図５から図７を用いて説明する。図５は本発明の第３実施例の磁気ディスク装置の斜視図、図６は図５のＣ−Ｃ断面図、図７は第３実施例に用いるカバー１の製作方法を説明する斜視図である。なお、図６は筐体内部の部品を省略して示す。この第３実施例は、次に述べる点で第１実施例と相違するものであり、その他の点については第１実施例と基本的には同一である。
【００３４】
第３実施例では、カバー１は磁性材料からなり、ベース２は非磁性材料からなり、回路基板６は珪素鋼板コアを有している。回路基板６とベース２との間には緩衝材２５が配置されている。カバー１には、一辺から延びる舌状部１ｂが形成されている。舌状部１ｂは、カバー１から下方に垂直に折り曲げられ、その垂直部からさらに水平に折り曲げられてベース２と回路基板６との間に回り込むようになっている。そして、筐体９の側壁の表面に舌状部１ｂが上下に通る凹部２ｂを形成している。これによって、フォームファクタを守りながら、舌状部１ｂを設けることができる。
【００３５】
ベース２と回路基板６との間の緩衝材２５は、舌状部１ｂとベース２との間で圧縮され、舌状部１ｂを回路基板６に押し付けて密着させる働きをする。この働きにより、舌状部１ｂと回路基板６とが隙間無く接触され、舌状部１ｂは回路基板６の珪素鋼板コアに磁気的に接続される。これによって、カバー１と回路基板６の珪素鋼板コアとにより優れた磁気シールド機能が実現される。なお、回路基板６は、少なくとも、磁気ヘッド５の移動範囲をカバーする部分と、それに連結して舌状部１ｂと接触する部分とにわたって、積層された珪素鋼板コアを有している。
【００３６】
図７（ａ）に示すように舌状部１ｂを有する平板状のカバー１を形成し、磁気ディスク装置に組み立てられる前に、図７（ｂ）に示すように舌状部１ｂをコ字状に折り曲げてベース２及び緩衝材２５を挟み込むように取り付ける。これによって、磁気シールド機能を有するカバー１を簡単に設置することができる。
（第４実施例）
次に、本発明の第４実施例について図８及び図９を用いて説明する。図８は本発明の第４実施例の磁気ディスク装置の要部断面図、図９は第４実施例の珪素鋼板コアの存在範囲を示す平面図である。この第４実施例は、次に述べる点で第１実施例と相違するものであり、その他の点については第１実施例と基本的には同一である。
【００３７】
第４実施例では、ベース２は磁性材料から成っており、図８に示すように、ベース２の開口部に珪素鋼板コア基板３３が取り付けられている。珪素鋼板コア基板３３の上からベース２に跨って気密保持用のシール３６が貼られている。珪素鋼板コア基板３３はカバーの代わりとして機能している。珪素鋼板コア基板３３は珪素鋼板コア３４を有している。この珪素鋼板コア３４は、磁気ディスク３１を回転させるスピンドルモータ３２のステータとして機能している。
【００３８】
珪素鋼板コア基板３３の珪素鋼板コア３４は、図９に示すように、スピンドルモータ３２のステータを構成する領域３７と、磁気ヘッド３４の移動範囲からベース２の一辺までつながる領域３８に少なくとも設けられている。珪素鋼板コア基板３２の珪素鋼板コア３４は、その外周部において、ベース３５と接触して磁気的に接続されている。
【００３９】
磁性材料で構成された珪素鋼板コア３４と磁性材料で構成されたベース２とによりコ字状の磁気シールド部が構成され、このコ字状の磁気シールド部が磁気ヘッド５の移動範囲を覆っているので、優れた磁気シールド機能が実現される。
【図面の簡単な説明】
【００４０】
【図１】本発明の第１実施例の磁気ディスク装置を示す斜視図である。
【図２】図１のＡ−Ａ断面図である。
【図３】本発明の第２実施例の磁気ディスク装置の斜視図である。
【図４】図３のＢ−Ｂ断面図である。
【図５】本発明の第３実施例の磁気ディスク装置の斜視図である。
【図６】図５のＣ−Ｃ断面図である。
【図７】第３実施例に用いるカバーの製作方法を説明する斜視図である。
【図８】本発明の第４実施例の磁気ディスク装置の要部断面図である。
【図９】第４実施例の珪素鋼板コアの存在範囲を示す平面図である。
【符号の説明】
【００４１】
１…カバー、１ａ…係止段部、１ｂ…舌状部、２…ベース、２ａ…係止段部、２ｂ…凹部、３…磁気シールド部材、４…磁気ディスク、５…磁気ヘッド、６…回路基板、７…磁気ディスク駆動機構、９…筐体、９ａ…切欠き、１４…磁気ヘッドの移動領域、１５…気密保持用シール、２５…緩衝材、３１…磁気ディスク、３２…スピンドルモータ、３３…珪素鋼板コア基板、３４…珪素鋼板コア、３６…シール、３７、３８…領域、５０…磁気ディスク装置。
【図１】
2006107570.tif 000003
【図２】
2006107570.tif 000004
【図３】
2006107570.tif 000005
【図４】
2006107570.tif 000006
【図５】
2006107570.tif 000007
【図６】
2006107570.tif 000008
【図７】
2006107570.tif 000009
【図８】
2006107570.tif 000010
【図９】
2006107570.tif 000011